(57)【特許請求の範囲】
【請求項１】
研磨材被覆テープと、該テープの研磨材被覆面をクランクシャフトのような軸物の被加工物表面に接触させ押圧する一対の開閉アームに固定された凹面を有するシュー組立体とを含むテープラップ装置において、該シュー組立体を支持する一対の開閉アーム及びアームを開閉するクランプ軸を一体的に交換可能なカセットとして組付けた一体型カセットシュー組立体を有し、各該一体型カセットシュー組立体はカセット側ガイドレールが頂部に取付けられ、複数個並列して配置可能なＡＴＣ側ガイドレールに取付け可能にされ、該一体型カセットシュー組立体は該ＡＴＣ側ガイドレールに取付けられたとき、該ＡＴＣ側ガイドレール本体に設けたアンチバックストッパーでロックして位置ずれを防止され、その状態から取り外すとき、該ＡＴＣ側ガイドレール本体に設けたアンチバック解除装置の押しピンを押して該ロックを解除して、該一体型カセットシュー組立体を取り外すようにされ、
該アンチバックストッパーは、該ＡＴＣ側ガイドレール本体の軸と、該軸に回転可能に支持されたラチェットと、該ラチェットの先端をＡＴＣ側ガイドレールに付勢するスプリングと、を備え、該ラチェット先端により、該カセット側ガイドレール後端をロックして位置ずれを防止し、
該アンチバック解除装置は、該ラチェット先端を該スプリングの付勢に抗して該カセット側ガイドレール後端より上に持ち上げるスライド先端と、該スライド先端を有するスライドに連結された押しピンと、からなり、該押しピンを押すことにより該スライドを介して該ラチェット先端を持ち上げ該ロックを解除することを特徴とするテープラップ装置。
【請求項２】
該複数個並列して配置されたＡＴＣ側ガイドレールは、加工機械本体と自動交換可能なマガジン部交換位置から約90°旋回した一体型カセットシュー組立体取替位置まで、旋回可能にされたことを特徴とする請求項１記載のテープラップ装置。
【発明の詳細な説明】
【技術分野】
【０００１】
本発明は、比較的非圧縮性の研磨材被覆テープと、該テープの研磨材被覆面を回転される加工面を有する鋼管、自動車部品等の被加工物表面に、接触させ押圧する比較的剛性の凹面を有するシュー組立体とからなり、研磨材被覆テープを使用して被加工物表面を極めて精密にミクロ仕上げするテープラップ装置に関し、特にテープラップ装置において、シュー組立体を支持する一対の開閉アーム及びアームを開閉するクランプ軸を一体的に交換可能なカセットとして組付けた一体型カセットシュー組立体を有するテープラップ装置に関する。
【背景技術】
【０００２】
従来のかかるシュー組立体を支持する一対の開閉アーム及びアームを開閉するクランプ軸を一体的に交換可能なカセットとして組付けた一体型カセットシュー組立体を有するテープラップ装置としては、例えば特許文献１に開示するものがある。このものは、一対の開閉アームを開閉するアクチュエータを一体型カセットシュー組立体として組み込み、これを一体的にテープラップ機械に組み込むようにさされている。
【特許文献１】特許第３２４０７７１号公報
【発明の開示】
【発明が解決しようとする課題】
【０００３】
しかしながら、テープラップ装置のシュー組立体の剛性凹面を形成する各ストーンは、被加工物軸径又は軸幅、隣接する各被加工物軸間の間隔に応じて製作され、特定の被加工物軸径又は軸幅、隣接する各被加工物軸間の間隔、のみの加工に限定されているため、被加工物の軸径又は軸幅、軸間の間隔、が違えばそれ専用の複数の剛性凹面を形成するストーンを有するシュー組立体に交換するための段取り替えが必要であり、特許文献１のものでは、多数の一体型カセットシュー組立体を、交換容易に保存を行える、テープラップ装置ではなく、段取り換え時間が長いため、テープラップ装置の稼働率を下げる要因となっていた。
【０００４】
本発明の課題は、シュー組立体を支持する一対の開閉アーム、アームを開閉するクランプ軸を一体的に交換可能なカセットとして組付けた一体型カセットシュー組立体を有するテープラップ装置において、多数の一体型カセットシュー組立体を交換容易に保存を行え、段取り換え時間がかからないテープラップ装置を提供することにある。
【課題を解決するための手段】
【０００５】
このため本発明は、研磨材被覆テープと、該テープの研磨材被覆面をクランクシャフトのような軸物の被加工物表面に接触させ押圧する一対の開閉アームに固定された凹面を有するシュー組立体とを含むテープラップ装置において、該シュー組立体を支持する一対の開閉アーム及びアームを開閉するクランプ軸を一体的に交換可能なカセットとして組付けた一体型カセットシュー組立体を有し、各該一体型カセットシュー組立体はカセット側ガイドレールが頂部に取付けられ、複数個並列して配置可能なＡＴＣ側ガイドレールに取付け可能にされ、該一体型カセットシュー組立体は該ＡＴＣ側ガイドレールに取付けられたとき、該ＡＴＣ側ガイドレール本体に設けたアンチバックストッパーでロックして位置ずれを防止され、その状態から取り外すとき、該ＡＴＣ側ガイドレール本体に設けたアンチバック解除装置の押しピンを押して該ロックを解除して、該一体型カセットシュー組立体を取り外すようにされ、該アンチバックストッパーは、該ＡＴＣ側ガイドレール本体の軸と、該軸に回転可能に支持されたラチェットと、該ラチェットの先端をＡＴＣ側ガイドレールに付勢するスプリングと、を備え、該ラチェット先端により、該カセット側ガイドレール後端をロックして位置ずれを防止し、該アンチバック解除装置は、該ラチェット先端を該スプリングの付勢に抗して該カセット側ガイドレール後端より上に持ち上げるスライド先端と、該スライド先端を有するスライドに連結された押しピンと、からなり、該押しピンを押すことにより該スライド先端を介して該ラチェット先端を持ち上げ該ロックを解除することを特徴とするテープラップ装置を提供することによって上記した従来製品の課題を解決した。
【発明の効果】
【０００６】
かかる構成により、該シュー組立体を支持する一対の開閉アーム及びアームを開閉するクランプ軸を一体的に交換可能なカセットとして組付けた一体型カセットシュー組立体を有し、各該一体型カセットシュー組立体はカセット側ガイドレールが頂部に取付けられ、複数個並列して配置可能なＡＴＣ側ガイドレールに取付け可能にされ、該一体型カセットシュー組立体は該ＡＴＣ側ガイドレールに取付けられたとき、該ＡＴＣ側ガイドレール本体に設けたアンチバックストッパーでロックして位置ずれを防止され、その状態から取り外すとき、該ＡＴＣ側ガイドレール本体に設けたアンチバック解除装置の押しピンを押して該ロックを解除して、該一体型カセットシュー組立体を取り外すようにしたことで、複数の一体型カセットシュー組立体を交換容易に保存を行え、段取り換え時間がかからないテープラップ装置を提供するものとなった。
【０００７】
好ましくは、該複数個並列して配置されたＡＴＣ側ガイドレールは、加工機械本体と自動交換可能なマガジン部交換位置から約90°旋回した一体型カセットシュー組立体取替位置まで、旋回可能にされ、手動で安全な位置で容易に一体型カセットシュー組立体を取替え可能にされている。
【発明を実施するための最良の形態】
【０００８】
本発明の実施形態を図面を参照して説明する。図１は本発明の実施形態のＡＴＣ付きテープラップ装置の概略平面図、図２は図１のＢ方向からみた概略側面図、図３（ａ）は図２のＡ部の部分拡大図、（ｂ）は（ａ）の１個の一体型カセットシュー組立体を取外した状態でみた概略側面図、（ｃ）は図１のＣ方向からみた一体型カセットシュー組立体がＡＴＣ側ガイドレールに取付けられた状態を示す要部概略側面図、（ｄ）は（ｃ）のアンチバックストッパー10の部分拡大側面図である。
【０００９】
図３（ｂ）に示すように、本発明の実施形態のテープラップ装置は、比較的非圧縮性の研磨材被覆テープ 1と、テープ 1の研磨材被覆面をクランクシャフトのような軸物の被加工物 7（図１）表面に接触させ押圧する一対の開閉アーム 4、4に固定された比較的剛性の凹面 2、2を有するシュー組立体 3、3とを含むテープラップ装置において、シュー組立体 3、3を支持する一対の開閉アーム 4、4及びアーム 4、4を開閉するクランプ軸 5、図示しないテープ供給ホルダ及びテープ巻取ホルダを一体的に交換可能なカセット 6として組付けた一体型カセットシュー組立体 6を有する。各一体型カセットシュー組立体 6は、カセット側ガイドレール8 が頂部に取付けられ、図３（ｃ）、（ｄ）に示すように、各一体型カセットシュー組立体 6は、複数個並列して配置可能なＡＴＣ側ガイドレール22に取付け可能にされ、かつＡＴＣ側ガイドレール22に、図３（ｃ）の点線位置Ｈで示すカセット保存位置に取付けられたとき、ＡＴＣ側ガイドレール本体21に設けたアンチバックストッパー10によりロックして位置ずれを防止され、その状態から取り外すとき、ＡＴＣ側ガイドレール本体21に設けたアンチバック解除装置20の押しピン24を押してロックを解除して、一体型カセットシュー組立体 6を取り外すようにしたものである。作動においては、図３（ｂ）のアンクランプ状態の一体型カセットシュー組立体 6が、図示しないテープラップ装置本体 9（図１）に取り付けられ、テープラップ装置本体 9に取付けられた、図示しない油圧シリンダといった押圧装置がクランプ軸 5端面を押すと、開閉アーム 4、4が閉じてクランプ状態となる。この後で軸物の被加工物 7は回転装置26（図１）で回転され、テープ 1の研磨材被覆面により、被加工物 7表面は極めて精密にミクロ仕上げされる。
【００１０】
本発明の実施形態では、アンチバックストッパー10は、カセット側ガイドレール 8後端15をロックするように、ＡＴＣ側ガイドレール本体21に設けたスプリング11に付勢されたラチェット13であり、ラチェット13はＡＴＣ側ガイドレール本体21に軸14で回転可能に支持され、スプリング11に付勢されて図３（ｄ）の位置まで自由落下し、カセット側ガイドレール後端15をロックして位置ずれを防止する。アンチバック解除装置20はＡＴＣ側ガイドレール本体21に設けたラチェット13をスプリング11の付勢に抗してカセット側ガイドレール後端15より上に持ち上げるスライド26と、スライド26に連結された押しピン24とからなる。アンチバック解除装置20は、図３（ｃ）の示す位置より、スライド26の先端27がアンチバックストッパー10のラチェット13に極めて近接した位置に配置されるように、図示しない装置により、ＡＴＣ側ガイドレール本体21に固定される。ＡＴＣ側ガイドレール 23、22はカセット側ガイドレール 8と容易に嵌まり合うようにされている。図１に示すように、複数個並列して配置されたＡＴＣ側ガイドレール 22、23は、加工機械本体 9と、自動交換可能なマガジン部交換位置Ｄから、約90°旋回した一体型カセットシュー組立体取替位置Ｅまで、旋回可能にされており、手動で安全な位置で容易に一体型カセットシュー組立体を取替え可能にされている。25は自動交換用シリンダである。
【００１１】
一体型カセットシュー組立体を取替えるときは、加工機械本体 9を停止し、自動交換可能なマガジン部交換位置Ｄにあるマガジン部に収容された多数の一体型カセットシュー組立体 6を、図１に示す、一体型カセットシュー組立体取替位置Ｅまで約90°旋回させる。作業者は、図１のカセット交換位置Ｆで、一体型カセットシュー組立体取替位置Ｅにある一体型カセットシュー組立体 6を、手動で、アンチバック解除装置20の押しピン24を押してロックを解除し、手動で外方に手前側に取り出す。逆に、一体型カセットシュー組立体を取り付けるときは、作業者は、一体型カセットシュー組立体取替位置Ｅで、手動で一体型カセットシュー組立体のカセット側ガイドレール 8をＡＴＣ側ガイドレール 23、22に嵌め込むと、スプリング11に付勢されたラチェット13が図３（ｄ）の位置まで自由落下し、カセット側ガイドレール後端15をロックして位置ずれを防止する。
【図面の簡単な説明】
【００１２】
【図１】本発明の実施形態のＡＴＣ付きテープラップ装置の概略平面図。
【図２】図１のＢ方向からみた概略側面図。
【図３】（ａ）は図２のＡ部の部分拡大図、（ｂ）は（ａ）の１個の一体型カセットシュー組立体を取外した状態でみた概略側面図、（ｃ）は図１のＣ方向からみた一体型カセットシュー組立体がＡＴＣ側ガイドレールに取付けられた状態を示す要部概略側面図、（ｄ）は（ｃ）のアンチバックストッパーの部分拡大側面図である。
【符号の説明】
【００１３】
１：研磨材被覆テープ
３：シュー組立体
４：開閉アーム
５：クランプ軸
６：一体型カセットシュー組立体
７：被加工物
８：カセット側ガイドレール
９：加工機本体
10：アンチバックストッパー
11：スプリング
13：ラチェット
14：軸
15：カセットガイドレール後端
20：アンチバック解除装置
21：ＡＴＣ側ガイドレール本体
22、23 ：ＡＴＣ側ガイドレール
24：押しピン
26：スライド
27：スライド先端
Ｄ：マガジン部交換位置
Ｅ：一体型カセットシュー組立体取替位置
【図１】
0004678771.tif 000002
【図２】
0004678771.tif 000003
【図３】
0004678771.tif 000004